(57)【要約】【課題】湿布剤を保持した状態で膝に装着することができ、膝用サポーター本来の性能及び湿布剤本来の性能を発揮させつつ、膝からの湿布剤のズレ落ちを抑制できる膝用サポーターを提供する。【解決手段】膝に装着される膝用サポーターであって、サポーター本体と、サポーター本体の膝との対向面側に配置され、装着時に湿布剤の少なくとも一部が膝に対向するように湿布剤を保持する湿布剤保持用部材と、を備える膝用サポーター。【選択図】図１
2016098449.tif 000002
【特許請求の範囲】
【請求項１】
膝に装着される膝用サポーターであって、
サポーター本体と、
前記サポーター本体の前記膝との対向面側に配置され、装着時に湿布剤の少なくとも一部が前記膝に対向するように前記湿布剤を保持する湿布剤保持用部材と、
を備える膝用サポーター。
【請求項２】
前記湿布剤保持用部材が、
互いに係合することにより前記湿布剤を前記サポーター本体の前記膝との対向面側に固定する一対の面ファスナー部材、及び、
メッシュ構造を有し前記サポーター本体との間で前記湿布剤を保持するメッシュ状部材の少なくとも一方である請求項１に記載の膝用サポーター。
【請求項３】
前記一対の面ファスナー部材が、フック型面ファスナー部材及びループ型面ファスナー部材であり、前記フック型面ファスナー部材及び前記ループ型面ファスナー部材のいずれか一方が前記サポーター本体の前記膝との対向面側に固定されている請求項２に記載の膝用サポーター。
【請求項４】
前記ループ型面ファスナー部材が、前記サポーター本体の前記膝との対向面側に固定されている請求項３に記載の膝用サポーター。
【請求項５】
前記ループ型面ファスナー部材は、
前記サポーター本体の前記膝との対向面側に固定されている基布と、
前記基布の前記膝との対向面側に固定されており、前記基布の前記膝との対向面からの高さが０．１ｍｍ〜２．５ｍｍであるループ素子部と、
を含む請求項４に記載の膝用サポーター。
【請求項６】
前記ループ素子部は、前記基布の前記膝との対向面からの高さが０．１ｍｍ〜２．０ｍｍである請求項５に記載の膝用サポーター。
【請求項７】
前記フック型面ファスナー部材が、前記サポーター本体の前記膝との対向面側に固定されており、
前記フック型面ファスナー部材は、
前記サポーター本体の前記膝との対向面側に固定されている基布と、
前記基布の前記膝との対向面側に固定されており、前記基布の前記膝との対向面からの高さが０．１ｍｍ〜０．７ｍｍであるフック素子部と、
を含む請求項３に記載の膝用サポーター。
【請求項８】
前記フック素子部は、前記基布の前記膝との対向面からの高さが０．１ｍｍ〜０．５ｍｍである請求項７に記載の膝用サポーター。
【請求項９】
前記メッシュ状部材の厚みが、０．１ｍｍ〜０．５ｍｍである請求項２〜請求項８のいずれか１項に記載の膝用サポーター。
【請求項１０】
前記メッシュ状部材のメッシュ幅が、０．５ｍｍ〜５．０ｍｍである請求項２〜請求項９のいずれか１項に記載の膝用サポーター。
【請求項１１】
更に、前記サポーター本体に固定され、装着時に前記膝に対する締め付け力を調整する締め付け力調整部材を備える請求項１〜請求項１０のいずれか１項に記載の膝用サポーター。
【請求項１２】
更に、前記サポーター本体の両端部に固定され、互いに係合することにより前記サポーター本体を前記膝に装着させる一対の線ファスナー部材を備える請求項１〜請求項１１のいずれか１項に記載の膝用サポーター。
【発明の詳細な説明】
【技術分野】
【０００１】
本発明は、膝用サポーターに関する。
【背景技術】
【０００２】
従来より、膝の痛みを緩和すること等を目的として、膝用サポーターが用いられている。
近年、膝用サポーターの構造を工夫することにより、膝用サポーターの性能を高めることが検討されている（例えば、特許文献１〜４参照）
また、少なくとも二層の保持部材を有し、保持部材の層間に発熱体を挟持する膝用サポーターが知られている（例えば、特許文献５参照）。
また、肘や膝の関節部などに装着が容易で且つ薄手構造のズレ防止機能を有するズレ防止サポーターが知られており、このズレ防止サポーターは湿布剤等のズレ防止用の締め付け帯としても使用できることが知られている（例えば、特許文献６参照）。
【先行技術文献】
【特許文献】
【０００３】
【特許文献１】特許第４９６４４４３号公報
【特許文献２】特許第５２９７１７０号公報
【特許文献３】特許第５４２８０９５号公報
【特許文献４】特開２００７−９３６２号公報
【特許文献５】特開２００７−３１９５１２号公報
【特許文献６】特開２０１１−２３６５１９号公報
【発明の概要】
【発明が解決しようとする課題】
【０００４】
ところで、膝の痛みを緩和するためには、膝用サポーターを着用すること以外にも、消炎鎮痛機能を有する湿布剤を膝に貼付することも行われている。
しかし、膝に湿布剤を貼付した場合、湿布剤が膝からズレ落ち易いという問題がある。
【０００５】
膝からの湿布剤のズレ落ちを防止する方法としては、締め付け帯（例えば、特許文献６に記載のズレ防止サポーター）によって、湿布剤が貼付された膝を湿布剤の上から締め付けることにより、湿布剤を膝に固定する方法が考えられる。
しかし、この方法では、締め付け帯自体が湿布剤を保持しているのではなく、単に、締め付け帯によって湿布剤を膝に押し付けて固定しているに過ぎない。このため、この方法では、膝からの湿布剤のズレ落ちを抑制できない場合がある。
また、特許文献６に記載のズレ防止サポーターは、このサポーター自体のズレを防止する機能を備えるものの、膝に貼付された湿布剤のズレ落ちを抑制する機能は備えていない。
【０００６】
また、上述の締め付け帯による方法において湿布剤のズレ落ちを効果的に抑制する方法としては、湿布剤が貼付された膝を締め付け帯によって強く締め付けることにより、湿布剤を膝に強く押し付ける方法が考えられる。
しかし、この方法では、過度の締め付け力によってかえって膝が痛む等、膝用サポーター本来の性能が発揮されない場合がある。
ここで、膝用サポーター本来の性能としては、適度な締め付け力によって膝を固定又は圧迫する性能、適度な締め付け力によって膝の動きを制御する性能、等が挙げられる。
【０００７】
また、特許文献５には、少なくとも二層の保持部材の層間に発熱体を挟持する膝用サポーターが記載されている。
しかし、仮に特許文献５に記載の膝用サポーターにおける発熱体を湿布剤に変更したとしても、湿布剤全体が少なくとも二層の保持部材によって覆われてしまい、湿布剤を膝に対向させることができない。このため、湿布剤本来の性能が発揮されない。
【０００８】
本発明は上記に鑑みなされたものであり、以下の目的を達成することを課題とする。
即ち、本発明の目的は、湿布剤を保持した状態で膝に装着することができ、膝用サポーター本来の性能及び湿布剤本来の性能を発揮させつつ、膝からの湿布剤のズレ落ちを抑制できる膝用サポーターを提供することである。
【課題を解決するための手段】
【０００９】
上記課題を解決するための具体的手段は以下の通りである。
＜１＞  膝に装着される膝用サポーターであって、
サポーター本体と、
前記サポーター本体の前記膝との対向面側に配置され、装着時に湿布剤の少なくとも一部が前記膝に対向するように前記湿布剤を保持する湿布剤保持用部材と、
を備える膝用サポーター。
＜２＞  前記湿布剤保持用部材が、
互いに係合することにより前記湿布剤を前記サポーター本体の前記膝との対向面側に固定する一対の面ファスナー部材、及び、
メッシュ構造を有し前記サポーター本体との間で前記湿布剤を保持するメッシュ状部材の少なくとも一方である＜１＞に記載の膝用サポーター。
＜３＞  前記一対の面ファスナー部材が、フック型面ファスナー部材及びループ型面ファスナー部材であり、前記フック型面ファスナー部材及び前記ループ型面ファスナー部材のいずれか一方が前記サポーター本体の前記膝との対向面側に固定されている＜２＞に記載の膝用サポーター。
＜４＞  前記ループ型面ファスナー部材が、前記サポーター本体の前記膝との対向面側に固定されている＜３＞に記載の膝用サポーター。
＜５＞  前記ループ型面ファスナー部材は、
前記サポーター本体の前記膝との対向面側に固定されている基布と、
前記基布の前記膝との対向面側に固定されており、前記基布の前記膝との対向面からの高さが０．１ｍｍ〜２．５ｍｍであるループ素子部と、
を含む＜４＞に記載の膝用サポーター。
＜６＞  前記ループ素子部は、前記基布の前記膝との対向面からの高さが０．１ｍｍ〜２．０ｍｍである＜５＞に記載の膝用サポーター。
＜７＞  前記フック型面ファスナー部材が、前記サポーター本体の前記膝との対向面側に固定されており、
前記フック型面ファスナー部材は、
前記サポーター本体の前記膝との対向面側に固定されている基布と、
前記基布の前記膝との対向面側に固定されており、前記基布の前記膝との対向面からの高さが０．１ｍｍ〜０．７ｍｍであるフック素子部と、
を含む＜３＞に記載の膝用サポーター。
＜８＞  前記フック素子部は、前記基布の前記膝との対向面からの高さが０．１ｍｍ〜０．５ｍｍである＜７＞に記載の膝用サポーター。
＜９＞  前記メッシュ状部材の厚みが、０．１ｍｍ〜０．５ｍｍである＜２＞〜＜８＞のいずれか１項に記載の膝用サポーター。
＜１０＞  前記メッシュ状部材のメッシュ幅が、０．５ｍｍ〜５．０ｍｍである＜２＞〜＜９＞のいずれか１項に記載の膝用サポーター。
＜１１＞  更に、前記サポーター本体に固定され、装着時に前記膝に対する締め付け力を調整する締め付け力調整部材を備える＜１＞〜＜１０＞のいずれか１項に記載の膝用サポーター。
＜１２＞  更に、前記サポーター本体の両端部に固定され、互いに係合することにより前記サポーター本体を前記膝に装着させる一対の線ファスナー部材を備える＜１＞〜＜１１＞のいずれか１項に記載の膝用サポーター。
【発明の効果】
【００１０】
本発明によれば、湿布剤を保持した状態で膝に装着することができ、膝用サポーター本来の性能及び湿布剤本来の性能を発揮させつつ、膝からの湿布剤のズレ落ちを抑制できる膝用サポーターが提供される。
【図面の簡単な説明】
【００１１】
【図１】第１具体例に係る膝用サポーターを、膝との対向面側からみたときの概略平面図である。
【図２】第１具体例に係る膝用サポーターを、膝との対向面側とは反対側からみたときの概略平面図である。
【図３】図１のＡ−Ａ線断面図である。
【図４】第１具体例に係る膝用サポーターの概略分解断面図である。
【図５】第１具体例に係る膝用サポーターが膝に装着された状態を示す概略図である。
【図６】第２具体例に係る膝用サポーターの概略分解断面図である。
【図７】第３具体例に係る膝用サポーターを、膝との対向面側からみたときの概略平面図である。
【図８】第４具体例に係る膝用サポーターを、膝との対向面側からみたときの概略平面図である。
【図９】第４具体例に係る膝用サポーターが膝に装着された状態を示す概略図である。
【図１０】第５具体例に係る膝用サポーターが膝に装着された状態を示す概略図である。
【図１１】第６具体例に係る膝用サポーターが膝に装着された状態を示す概略図である。
【図１２】第７具体例に係る膝用サポーターを、膝との対向面側からみたときの概略平面図である。
【発明を実施するための形態】
【００１２】
以下、本発明の膝用サポーターの実施形態について説明する。
本実施形態の膝用サポーターは、膝に装着される膝用サポーターであって、サポーター本体と、前記サポーター本体の前記膝との対向面側に配置され、装着時に湿布剤の少なくとも一部が前記膝に対向するように前記湿布剤を保持する湿布剤保持用部材と、を備える。
【００１３】
本実施形態の膝用サポーターは、従来の締め付け帯（例えば、特許文献６に記載のズレ防止サポーター）とは異なり、膝用サポーター自身が、湿布剤を保持するための湿布剤保持用部材を備えている。本実施形態の膝用サポーターは、湿布剤保持用部材を有することにより、サポーター本体の膝との対向面側に湿布剤を保持した状態で、膝に容易に装着することができる。
湿布剤を保持した状態の本実施形態の膝用サポーターを膝に装着する場合、膝用サポーター自身が湿布剤を保持しているので、締め付け帯によって湿布剤を固定する従来の方法と比較して、適度な締め付け力によってサポーター本来の性能を発揮させつつ、膝からの湿布剤のズレ落ちを効果的に抑制できる。
より具体的には、本実施形態の膝用サポーターを用いる場合には、膝用サポーター自身が湿布剤を保持しているので、過度な締め付け力によって膝用サポーターを強く締め付ける必要がない。このため、適度な締め付け力により、膝用サポーター本来の機能が効果的に発揮される。
【００１４】
また、前述のとおり、特許文献５に記載された、少なくとも二層の保持部材の層間に発熱体を挟持するサポーターにおいて、仮に発熱体を湿布剤に変更したとしても、湿布剤全体が少なくとも二層の保持部材によって覆われてしまう。よってこの場合には、湿布剤を膝に対向させることができないので、湿布剤本来の性能が発揮されない。
これに対し、本実施形態の膝用サポーターは、湿布剤保持用部材により、装着時に湿布剤の少なくとも一部が前記膝に対向（好ましくは接触）するように前記湿布剤を保持するので、湿布剤本来の性能が効果的に発揮される。
【００１５】
以上のように、本実施形態の膝用サポーターによれば、湿布剤を保持した状態で膝に装着することができ、膝用サポーター本来の性能及び湿布剤本来の性能を発揮させつつ、膝からの湿布剤のズレ落ちを抑制することができる。
【００１６】
本明細書中において、「膝」とは、膝蓋骨部だけでなく膝蓋骨部の周囲を含む領域全体を指し、具体的には、膝蓋骨部の領域及び膝蓋骨部の端部から１００ｍｍ以内の領域全体を指す。
【００１７】
本実施形態において、サポーター本体としては、一般的な膝用サポーターを特に制限無く用いることができる。
本実施形態において、湿布剤保持用部材としては、装着時に湿布剤の少なくとも一部が膝に対向するように前記湿布剤を保持できる部材であれば特に制限はなく、後述する一対の面ファスナー部材及びメッシュ状部材、粘着テープ等の固定用部材、等を用いることができる。
また、本実施形態の膝用サポーターは、サポーター本体及び湿布剤保持用部材以外の部材を備えていてもよい。
また、本実施形態の膝用サポーターにおいて、湿布剤としては、市販されている一般的な湿布剤を特に制限無く使用することができる。
以下、本実施形態の膝用サポーターの好ましい態様について説明する。
【００１８】
本実施形態の膝用サポーターは、前記湿布剤保持用部材が、
互いに係合することにより前記湿布剤を前記サポーター本体の前記膝との対向面側に固定する一対の面ファスナー部材、及び、
メッシュ構造を有し前記サポーター本体との間で前記湿布剤を保持するメッシュ状部材の少なくとも一方であることが好ましい。
【００１９】
湿布剤保持用部材が一対の面ファスナー部材であると、サポーター本体の膝との対向面側によりしっかりと湿布剤を固定することができる。これにより、膝からの湿布剤のズレ落ちをより効果的に抑制できるので、膝に対して湿布剤を効果的に作用させることができる。更に、一対の面ファスナー部材同士の着脱により、湿布剤の位置の調整や、湿布剤の交換をより容易に行うことができる。
【００２０】
ここで、一対の面ファスナー部材とは、各々が係合素子部（フック素子部、ループ素子部、等）を含み、各々の係合素子部同士が互いに係合する一対の部材を指す。
面ファスナー部材としては、本実施形態の膝用サポーター用として作製されたものを用いることもできるし、マジックテープ（登録商標）、ベルクロ（登録商標）、等の市販品を用いることもできる。
【００２１】
湿布剤保持用部材がメッシュ状部材であると、メッシュ状部材とサポーター本体との間で湿布剤を保持しつつ、メッシュ状部材のメッシュ構造（網目構造）を通じて湿布剤を膝に効果的に作用させることができる。
【００２２】
本実施形態の膝用サポーターは、湿布剤保持用部材として、一対の面ファスナー部材及びメッシュ状部材のいずれか一方のみを備えていてもよいし、両方を備えていてもよい。
【００２３】
また、本実施形態の膝用サポーターは、前記一対の面ファスナー部材が、フック型面ファスナー部材及びループ型面ファスナー部材であり、前記フック型面ファスナー部材及び前記ループ型面ファスナー部材のいずれか一方が前記サポーター本体の前記膝との対向面側に固定されている態様が好ましい。
この態様では、サポーター本体の膝との対向面側によりしっかりと湿布剤を固定することができる。
【００２４】
ここで、フック型面ファスナー部材は、係合素子部として、複数のフック素子（係合素子）からなるフック素子部を含む。
また、ループ型面ファスナー部材は、係合素子部として、複数のループ素子（係合素子）からなるループ素子部を含む。
フック型面ファスナー部材及びループ型面ファスナー部材の構造は、フック型面ファスナー部材のフック素子部とループ型面ファスナー部材のループ素子部とが係合する構造となっている。
以下では、フック型面ファスナー部材のフック素子部の表面を、「フック面」ということがあり、ループ型面ファスナー部材のループ素子部の表面を、「ループ面」ということがある。
【００２５】
本実施形態の膝用サポーターは、前記ループ型面ファスナー部材が、前記サポーター本体の前記膝との対向面側に固定されている態様が好ましい。
この態様によれば、フック型面ファスナー部材のフック素子部と比較して柔軟な、ループ型面ファスナー部材のループ素子部が膝に接触するので、膝用サポーターの肌触り（膝の肌への肌触り。以下同じ。）がより良好となる。
【００２６】
前記ループ型面ファスナー部材が前記サポーター本体の前記膝との対向面側に固定されている態様では、前記ループ型面ファスナー部材は、前記サポーター本体の前記膝との対向面側に固定されている基布と、前記基布の前記膝との対向面側に固定されており、前記基布の前記膝との対向面からの高さが０．１ｍｍ〜２．５ｍｍであるループ素子部と、を含むことが好ましい。
ここで、「基布の膝との対向面」とは、基布が持つ２つの基布面のうち、膝に対向する側の面を指す（以下、同様である）。
上記ループ素子部の高さが０．１ｍｍ以上であると、フック型面ファスナー部材との係合性がより向上する。
上記ループ素子部の高さが２．５ｍｍ以下であると、膝に接触するループ素子部の肌触りがより良好となる。
上記ループ素子部の高さは、０．１ｍｍ〜２．０ｍｍがより好ましく、０．１ｍｍ〜１．５ｍｍが特に好ましい。
【００２７】
＜試験例１＞
試験用サポーターの膝との対向面側に、ループ型面ファスナー部材をループ素子部が膝に対向する向きに固定した時の、ループ素子部の高さとループ素子部の肌触りとの関係についての試験（評価）を行った。
この試験は、被験者として、成人５人（男性４人及び女性１人）を対象として行った。
試験用サポーターとしては、面ファスナーで固定可能なストラップ（装着バンド）付きのサポーター（後述する図１中の膝用サポーター１００のうち、フック型面ファスナー部材２２及び２３、ループ型面ファスナー部材２０、及び湿布剤３０を省略した構造のサポーター）を作製し、用いた。ループ素子部の材質としては、ポリエステルを用いた。ループ素子部の高さは、表１に示す各値とした。
−試験方法−
試験用サポーターの膝との対向面側（即ち、サポーター本体１０の膝との対向面側）に、ループ型面ファスナー部材をループ素子部が膝に対向する向きに両面テープで固定し、評価サンプルとした。この評価サンプルを被験者の膝に３分間装着した。
３分間の装着後、被験者に対し、評価サンプルのループ素子部の肌触りが気になるかどうかについてのヒヤリングを行った。
以上の試験を全被験者について行い、以下の評価基準に従って評価を行った。評価結果を下記表１に示す。
−評価基準−
Ａ．ループ素子部の肌触りが気にならないと答えた被験者の割合が８０％以上。
Ｂ．ループ素子部の肌触りが気にならないと答えた被験者の割合が６０％以上８０％未満。
Ｃ．ループ素子部の肌触りが気にならないと答えた被験者の割合が４０％以上６０％未満。
Ｄ．ループ素子部の肌触りが気にならないと答えた被験者の割合が２０％以上４０％未満。
Ｅ．ループ素子部の肌触りが気にならないと答えた被験者の割合が２０％未満。
【００２８】
【表１】
2016098449.tif 000003
【００２９】
表１に示すように、ループ素子部の基布面からの高さが０．１ｍｍ〜２．５ｍｍであると、膝に接触した時のループ素子部の肌触りが良好であることが確認された。
【００３０】
また、本実施形態の膝用サポーターは、前記面ファスナー構造において、前記フック型面ファスナー部材が、前記サポーター本体の前記膝との対向面側に固定されている態様であってもよい。この態様では、フック型面ファスナー部材のフック面が膝に接触することとなる。この態様では、前記フック型面ファスナー部材は、前記サポーター本体の前記膝との対向面側に固定されている基布と、前記基布の前記膝との対向面側に固定されており、前記基布の前記膝との対向面からの高さが０．１ｍｍ〜０．７ｍｍであるフック素子部と、を含む態様であることが好ましい。
上記フック素子部の高さが０．１ｍｍ以上であると、ループ型面ファスナー部材との係合性がより向上する。
上記フック素子部の高さが０．７ｍｍ以下であると、膝に接触するフック素子部の肌触りがより良好となる。
フック素子部の高さは、０．１ｍｍ〜０．５ｍｍがより好ましく、０．１ｍｍ〜０．３ｍｍが特に好ましい。
【００３１】
＜試験例２＞
試験用サポーターの膝との対向面側に、フック型面ファスナー部材をフック素子部が膝に対向する向きに固定した時の、フック素子部の高さとフック素子部の肌触りとの関係についての試験（評価）を行った。
詳細には、試験例１において、ループ素子部を、ポリエステルからなり、高さが表２に示す各値であるフック素子部に変更したこと以外は試験例１と同様の試験を行った。評価基準は以下のとおりである。結果を下記表２に示す。
−評価基準−
Ａ．フック素子部の肌触りが気にならないと答えた被験者の割合が８０％以上。
Ｂ．フック素子部の肌触りが気にならないと答えた被験者の割合が６０％以上８０％未満。
Ｃ．フック素子部の肌触りが気にならないと答えた被験者の割合が４０％以上６０％未満。
Ｄ．フック素子部の肌触りが気にならないと答えた被験者の割合が２０％以上４０％未満。
Ｅ．フック素子部の肌触りが気にならないと答えた被験者の割合が２０％未満。
【００３２】
【表２】
2016098449.tif 000004
【００３３】
表２に示すように、フック素子部の高さが０．１ｍｍ〜０．７ｍｍであると、膝に接触した時のフック素子部の肌触りが良好であることが確認された。
【００３４】
また、本実施形態の膝用サポーターは、前記メッシュ状部材の厚みが、０．１ｍｍ〜０．５ｍｍであることが好ましい。
メッシュ状部材の厚みが０．１ｍｍ以上であると、メッシュ状部材の取り扱い性（例えば、メッシュ状部材とサポーター本体との間に湿布剤を保持させる際の作業性）により優れる。
メッシュ状部材の厚みが０．５ｍｍ以下であると、膝と湿布剤との対向面積（好ましくは接触面積）をより大きくすることができるので、膝に対して湿布剤をより効果的に作用させることができる。
メッシュ状部材の厚みは、０．２ｍｍ〜０．４ｍｍであることがより好ましい。
【００３５】
また、本実施形態の膝用サポーターは、前記メッシュ状部材のメッシュ幅（目開き）が０．５ｍｍ〜５．０ｍｍであることが好ましい。
メッシュ幅が０．５ｍｍ以上であると、膝と湿布剤との対向面積（好ましくは接触面積）をより大きくすることができるので、膝に対して湿布剤をより効果的に作用させることができる。
メッシュ幅が５ｍｍ以下であると、メッシュ状部材の取り扱い性（例えば、メッシュ状部材とサポーター本体との間に湿布剤を保持させる際の作業性）により優れる。
メッシュ幅は、０．５ｍｍ〜３．０ｍｍがより好ましい。
【００３６】
本実施形態の膝用サポーターは、更に、前記サポーター本体に固定され、装着時に前記膝に対する締め付け力を調整する締め付け力調整部材を備える態様が好ましい。
締め付け力調整部材を備える態様では、上記締め付け力を調整することができることはもちろんのこと、湿布剤の押し当て位置の微調整も容易に行うことができる。
締め付け力調整部材としては、バックル付きのベルト部材、線ファスナー付きのベルト部材、線ファスナー部材、等が挙げられる。
【００３７】
本実施形態の膝用サポーターは、更に、前記サポーター本体の両端部に固定され、互いに係合することにより前記サポーター本体を前記膝に装着させる一対の線ファスナー部材を備える態様が好ましい。
一対の線ファスナー部材を備える態様によれば、膝用サポーターの着脱がより容易となる。特に、所望とする位置に正確に湿布剤を押し当てた状態で膝用サポーターを装着することがより容易となる。
【００３８】
次に、図面を参照しながら、本実施形態の具体例について説明する。しかし、本発明は、以下の具体例に限定されることはない。
以下の具体例は、湿布剤を保持した状態の膝用サポーターの例であるが、湿布剤自体は交換可能な部材であり、膝用サポーターの必須の構成要素ではない。
また、個々の具体例に特有の要素は、具体例間で適宜組み合わせることもできる。
なお、各図面に共通の要素については、同一の符号を付すことがあり、重複した説明を省略することがある。
【００３９】
＜第１具体例＞
本実施形態の膝用サポーターの第１具体例を、図１〜図５を参照しながら説明する。
図１〜図５は、いずれも第１具体例に係る膝用サポーターが湿布剤を保持した状態を示す図である。
図１は、第１具体例に係る膝用サポーターを、膝との対向面側からみたときの概略平面図である。
図２は、第１具体例に係る膝用サポーターを、膝との対向面側とは反対側からみたときの概略平面図である。
図３は、第１具体例に係る膝用サポーターの概略断面図であり、図１のＡ−Ａ線断面図である。
図４は、第１具体例に係る膝用サポーターの概略分解断面図であり、図３に対応する分解断面図である。
図５は、第１具体例に係る膝用サポーターが膝に装着された状態を示す概略図である。
【００４０】
図１、図３、及び図４に示されるように、第１具体例に係る膝用サポーター１００は、サポーター本体１０と、湿布剤保持用部材としての、ループ型面ファスナー部材２０並びにフック型面ファスナー部材２２及び２３と、備えている。
【００４１】
ループ型面ファスナー部材２０は、サポーター本体１０の膝との対向面側に積層されて固定されている。
フック型面ファスナー部材２２及び２３は、それぞれ、ループ型面ファスナー部材２０に対して着脱可能（即ち、係合及び分離が可能）な部材である。
【００４２】
図３及び図４に示されるように、ループ型面ファスナー部材２０は、基布２０Ａと、基布２０Ａに固定されたループ素子部２０Ｂ（係合素子部）と、を含む。ループ素子部２０Ｂは、複数のループ素子の集合体である。
膝用サポーター１００では、ループ型面ファスナー部材２０の基布２０Ａが、サポーター本体１０の膝との対向面に固定されている。
【００４３】
ループ型面ファスナー部材２０において、ループ素子部２０Ｂを構成するループ素子の材質としては、ポリエチレン、ポリプロピレン、ナイロン、ポリエステル等が挙げられる。中でも、肌触り、柔軟性、耐久性の点で、ポリエステルが好ましい。
ループ型面ファスナー部材２０の基布２０Ａの材質としては、ポリエチレン、ポリプロピレン、ナイロン、ポリエステル等が挙げられる。中でも、柔軟性、耐久性、ループ素子部との一体成型性の点で、ポリエステルが好ましい。
ループ素子部２０Ｂの好ましい高さについては前述のとおりである。
【００４４】
一方、フック型面ファスナー部材２２は、基布２２Ａと、基布２２Ａに固定されたフック素子部２２Ｂ（係合素子部）と、を含む。フック素子部２２Ｂは、複数のフック素子の集合体である。フック素子部２２Ｂは、ループ素子部２０Ｂと係合できるようになっている。
また、フック型面ファスナー部材２３も、基布２３Ａと、基布２３Ａに固定されたフック素子部２３Ｂ（係合素子部）と、を含む。フック素子部２３Ｂも、複数のフック素子の集合体である。フック素子部２３Ｂも、複数のループ素子部２０Ｂと係合できるようになっている。
【００４５】
フック型面ファスナー部材２２において、フック素子部２２Ｂを構成するフック素子の材質としては、ポリエチレン、ポリプロピレン、ナイロン、ポリエステル等が挙げられる。
フック型面ファスナー部材２２の基布２２Ａの材質としては、ポリエチレン、ポリプロピレン、ナイロン、ポリエステル等が挙げられる。中でも、柔軟性、耐久性、フック素子部との一体成型性の点で、ポリエステルが好ましい。
フック型面ファスナー部材２３の好ましい態様も、フック型面ファスナー部材２２の上述した好ましい態様と同様である。
【００４６】
膝用サポーター１００では、ループ型面ファスナー部材２０のループ素子部２０Ｂと、フック型面ファスナー部材２２のフック素子部２２Ｂと、が湿布剤３０の端部を挟んで互いに係合することにより、湿布剤３０の一部がサポーター本体１０に固定される。
同様に、膝用サポーター１００では、ループ型面ファスナー部材２０のループ素子部２０Ｂと、フック型面ファスナー部材２３のフック素子部２３Ｂと、が湿布剤３０の別の端部を挟んで互いに係合することにより、湿布剤３０の別の端部がサポーター本体１０に固定される。
なお、膝用サポーター１００は、必ずしもフック型面ファスナー部材２２及びフック型面ファスナー部材２３の両方を備えている必要はなく、いずれか一方が省略されていてもよい。フック型面ファスナー部材のいずれか一方が省略されていても、フック型面ファスナー部材の他方と、ループ型面ファスナー部材２０と、の係合により、湿布剤３０の一部をサポーター本体１０に固定する効果が得られる。
【００４７】
サポーター本体１０としては、一般的な膝用サポーターを用いることができる。
サポーター本体１０の構造は、繊維製の糸を編み込んだ編み構造であってもよいし、ゴム素材等からなるシート状の成形体構造であってもよい。
繊維としては、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）等が挙げられる。
ゴム素材としては、シリコーンゴム、ウレタンゴム、ブチルゴム、天然ゴム、アクリルゴム、ネオプレンゴム（クロロプレンゴム）、フッ素ゴム等が挙げられる。
【００４８】
また、サポーター本体１０の外周形状としては、図１に示すような矩形状のほか、矩形以外の多角形状、円形状、楕円形状等のその他の形状であってもよい。
サポーター本体１０の厚みは一般的な厚みとすることができるが、例えば１．０ｍｍ〜５．０ｍｍとすることができ、１．５ｍｍ〜４．０ｍｍが好ましい。
【００４９】
また、図２、図３、及び図４に示されるように、サポーター本体１０の膝との対向面側とは反対側（以下、「非対向面側」ともいう）の全面には、ループ型面ファスナー部材５０が積層されている。ループ型面ファスナー部材５０も、ループ型面ファスナー部材２０と同様に、基布及びループ素子部を含む部材である。
ループ型面ファスナー部材５０は、後述の装着バンド４２（及び４４）の端部に設けられたフック型面ファスナー部材４３（及び４５）との係合を行うための部材である。
【００５０】
膝用サポーター１００の中央部（装着時において膝蓋骨の中央部に対応する位置）には、サポーター本体１０、ループ型面ファスナー部材２０、及びループ型面ファスナー部材５０を貫通するニーホール１２が設けられている。
ニーホール１２は、装着時、膝を曲げ易くする、締め付け感を緩和する、等の機能を果たす貫通孔である。
【００５１】
膝用サポーター１００は、更に、膝への装着のための装着用部材として、装着バンド４２及び４４を備えている。装着バンド４２及び４４の各々の端部は、サポーター本体１０に接続されている。
装着バンド４２の先端部（サポーター本体１０との接続部とは反対側の端部）には、フック型面ファスナー部材４３が積層されている。同様に、装着バンド４４の先端部（サポーター本体１０との接続部とは反対側の端部）には、フック型面ファスナー部材４５が積層されている。フック型面ファスナー部材４３及びフック型面ファスナー部材４５は、それぞれ、前述のループ型面ファスナー部材５０との係合が可能な部材である。
【００５２】
図５に示されるように、膝用サポーター１００を、脚１１０の膝１１２に装着する際には、サポーター本体１０を膝１１２に当てた状態で、装着バンド４２及び４４をそれぞれ脚１１０に巻き付け、装着バンド４２及び４４の各々の先端部のフック型面ファスナー部材４３及び４５を、ループ型面ファスナー部材５０と係合させる。
ループ型面ファスナー部材５０は、サポーター本体１０の膝との非対向面側全面に渡って設けられているので、フック型面ファスナー部材４３及び４５を係合させる位置を任意に調整することができる。フック型面ファスナー部材４３及び４５を係合させる位置を調整することにより、膝用サポーター１００の締め付け力を適宜調整することができる。
【００５３】
上述のとおり、膝用サポーター１００は、湿布剤保持用部材として、ループ型面ファスナー部材２０並びにフック型面ファスナー部材２２及び２３と、備えているので、湿布剤３０を保持した状態で膝１１２に容易に装着することができる。
更に、湿布剤３０を保持した状態の膝用サポーター１００を膝１１２に装着することにより、適度な締め付け力によって膝用サポーターとしての性能を十分に発揮させつつ、湿布剤３０のズレ落ちを効果的に抑制することができる。
【００５４】
更に、膝用サポーター１００では、フック型面ファスナー部材のフック素子部と比較して柔軟な、ループ型面ファスナー部材２０のループ素子部２０Ｂが膝に接触するので、膝用サポーターの肌触り及びつけ心地に優れる。
【００５５】
更に、図１に示されるように、ループ型面ファスナー部材２０は、膝用サポーター１００の膝に接触する部分全体に渡って設けられている。
このため、膝用サポーター１００においては、図１に示される湿布剤３０の位置に限らず、膝に接触する任意の位置に、湿布剤３０を固定することができる。
【００５６】
更に、膝用サポーター１００では、フック型面ファスナー部材２２及び２３がループ型面ファスナー部材２０に対し着脱可能な部材となっているので、湿布剤３０の位置の変更又は湿布剤３０の交換を容易に行うことができる。
【００５７】
以上、本発明の第１具体例（膝用サポーター１００）について説明したが、本発明の膝用サポーターは第１具体例に限定されるものではない。
例えば、ループ型面ファスナー部材２０の基布２０Ａ、ループ型面ファスナー部材５０の基布、装着バンド４２、及び装着バンド４４のうちの少なくとも一つが、サポーター本体１０と一体化した部材であってもよい。
例えば、サポーター本体１０と、ループ型面ファスナー部材２０の基布２０Ａと、が一体化されていてもよい（即ち、ループ素子部がサポーター本体に直接形成されていてもよい）。
【００５８】
また、サポーター本体１０に固定されるループ型面ファスナー部材２０がフック型面ファスナーに変更され、かつ、フック型面ファスナー部材２２及び２３のそれぞれがループ型面ファスナーに変更されてもよい。この場合のフック型面ファスナー部材のフック素子部の好ましい高さは前述したとおりである。
【００５９】
また、膝用サポーター１００は湿布剤を一つのみ（湿布剤３０）保持しているが、ループ型面ファスナー部材の数を増やす等して、湿布剤を二つ以上保持できるように変更されてもよい。
【００６０】
また、サポーター本体１０に固定されるループ型面ファスナー部材５０がフック型面ファスナーに変更され、かつ、フック型面ファスナー部材４３及び４５のそれぞれがループ型面ファスナーに変更されてもよい。
更に、装着バンドの固定方式が、面ファスナー方式からバックル方式に変更されていてもよい。
【００６１】
また、膝用サポーター１００は、上述した要素以外のその他の要素を備えていてもよい。
また、膝用サポーター１００におけるニーホール１２は、必須の要素ではなく、省略されていてもよい。
また、膝用サポーター１００の装着バンドの本数及び位置は、適宜変更することができる。
【００６２】
＜第２具体例＞
図６は、第２具体例に係る膝用サポーターの概略分解断面図であり、第１具体例における図４に対応する概略分解断面図である。
【００６３】
図６に示されるように、第２具体例に係る膝用サポーター１０２では、第１具体例に係る膝用サポーター１００に対し、フック型面ファスナー部材２２及び２３が、粘着剤層１４０を備えたフック型面ファスナー部材１２２に変更されている。
粘着剤層１４０は、フック型面ファスナー部材１２２の基布からみて、フック素子部とは反対側に設けられている。
膝用サポーター１０２では、粘着剤層１４０を介してフック型面ファスナー部材１２２と湿布剤３０とが固定され、得られた複合体（湿布剤３０、粘着剤層１４０、及びフック型面ファスナー部材１２２からなる複合体）が、ループ型面ファスナー部材２０に係合される。
膝用サポーター１０２は、湿布剤３０の全面を膝に接触させることができるという利点を有する。
【００６４】
粘着剤層としては、両面テープ、シリコーン系粘着剤等の公知の粘着剤を用いて形成された層、等が挙げられる。
【００６５】
膝用サポーター１０２において、上記以外の構成は、膝用サポーター１００の構成と同様である。従って、膝用サポーター１０２によれば、膝用サポーター１００と同様の効果が奏される。
膝用サポーター１０２の好ましい範囲及び変形例についても、膝用サポーター１００の好ましい範囲及び変形例と同様である。
【００６６】
＜第３具体例＞
図７は、第３具体例に係る膝用サポーターを、膝との対向面側からみたときの概略平面図である。
図７に示されるように、第３具体例に係る膝用サポーター１０４では、第１具体例に係る膝用サポーター１００に対し、サポーター本体１０、ループ型面ファスナー部材２０、及びループ型面ファスナー部材５０が、サポーター本体１１、ループ型面ファスナー部材２１、及びループ型面ファスナー部材５１に変更され、かつ、補強材６２Ａ及び６２Ｂが追加されている。
【００６７】
サポーター本体１１、ループ型面ファスナー部材２１、及びループ型面ファスナー部材５１は、サポーター本体１０、ループ型面ファスナー部材２０、及びループ型面ファスナー部材５０に対し、全面に渡って多数の通気口６６（貫通孔）を設け、かつ、両端部に半円状のえぐり部６８Ａ及び６８Ｂを設けたものである。
【００６８】
膝用サポーター１０４では、通気口６６により、膝用サポーター装着時の蒸れ等が抑制され、膝用サポーターの装着感がより向上する。通気口６６は、サポーター本体等の全面ではなく、一部（例えば、膝の裏側に相当する部分）にのみ設けられていてもよい。
【００６９】
膝用サポーター１０４では、えぐり部６８Ａ及び６８Ｂにより、膝用サポーター装着時に膝を曲げ易くなるという効果が奏される。えぐり部６８Ａ及び６８Ｂの形状は、半円状に限らず、くさび状、スリット状等であってもよい。
【００７０】
膝用サポーター１０４において、補強材６２Ａ及び６２Ｂは、可撓性を有する棒形状の部材であり、膝の両脇に対応する位置に設けられている。
膝用サポーター１０４では、補強材６２Ａ及び６２Ｂによって適度に膝の動きを制御することで、膝を保護することができる。
【００７１】
膝用サポーター１０４において、上記以外の構成は、膝用サポーター１００の構成と同様である。従って、膝用サポーター１０２によれば、膝用サポーター１００と同様の効果が奏される。
膝用サポーター１０４の好ましい範囲及び変形例についても、膝用サポーター１００の好ましい範囲及び変形例と同様である。
【００７２】
＜第４具体例＞
図８は、第４具体例に係る膝用サポーターを、膝との対向面側からみたときの概略平面図である。
図９は、第４具体例に係る膝用サポーターが膝に装着された状態を示す概略図である。
図８及び図９に示されるように、第４具体例に係る膝用サポーター２００では、第１具体例に係る膝用サポーター１００に対し、装着用部材としての装着バンド４２及び４４が、装着用部材としての一対の線ファスナー部材２４０Ａ及び２４０Ｂに変更され、かつ、サポーター本体に固定されたループ型面ファスナー部材２０及び５０が省略されている。
【００７３】
一対の線ファスナー部材２４０Ａ及び２４０Ｂは、互いに係合可能となっており、これらを係合することで、膝用サポーター２００を膝に装着することができる。言うまでもないが、装着後は、これらを分離することで、膝用サポーター２００を膝から取り外すことができる。
膝用サポーター２００は、一対の線ファスナー部材２４０Ａ及び２４０Ｂを備えているので、膝用サポーターの着脱がより容易である。
特に、所望とする位置に正確に湿布剤を押し当てた状態で膝用サポーターを装着することがより容易となる。
また、一対の線ファスナー部材２４０Ａ及び２４０Ｂの係合及び分離により、湿布剤を押し当てる位置の微調整を容易に行うことができる。
【００７４】
線ファスナー部材２４０Ａ及び２４０Ｂの材質としては、金属、樹脂等が挙げられるが、装着感の点からは、樹脂が好ましい。
【００７５】
膝用サポーター２００は、更に、線ファスナー部材２４０Ａ及び２４０Ｂの各々の膝との対向面側に、線ファスナー部材２４０Ａ及び２４０Ｂと膝との接触を防止するための接触防止用部材を備えることも好ましい。
【００７６】
膝用サポーター２００において、上記以外の構成は、膝用サポーター１００の構成と同様である。従って、膝用サポーター２００によれば、膝用サポーター１００と同様の効果が奏される。
膝用サポーター２００の好ましい範囲及び変形例についても、膝用サポーター１００の好ましい範囲及び変形例と同様である。
【００７７】
＜第５具体例＞
図１０は、第５具体例に係る膝用サポーターが膝に装着された状態を示す概略図である。
図１０に示されるように、第５具体例に係る膝用サポーター２０２では、第４具体例に係る膝用サポーター２００に対し、締め付け力調整部材としてのベルト部材２５０Ａ及び２５０Ｂが追加されている。
膝用サポーター２０２はベルト部材２５０Ａ及び２５０Ｂを有するので、膝用サポーター２０２を用いることで、締め付け力の微調整はもちろんのこと、湿布剤の押し当て位置の微調整もより容易に行うことができる。
例えば、まず、湿布剤３０を保持した状態の膝用サポーター２０２を緩めに装着し、次いで湿布剤３０が膝に接触する位置を微調整し、次いでバックル付きベルト部材２５０Ａ及び２５０Ｂによって膝用サポーター２０２を締め付けることができる。
また、既に膝用サポーター２０２を装着している時に、湿布剤３０の押し当て位置を変更したい場合には、バックル付きベルト部材２５０Ａ及び２５０Ｂによって膝用サポーターの締め付け力を一旦緩め、次いで湿布剤３０が膝に接触する位置を微調整し、次いでバックル付きベルト部材２５０Ａ及び２５０Ｂによって膝用サポーター２０２を再度締め付けることができる。
【００７８】
膝用サポーター２０２において、上記以外の構成は、膝用サポーター２００の構成と同様である。従って、膝用サポーター２０２によれば、膝用サポーター２００と同様の効果が奏される。
膝用サポーター２０２の好ましい範囲及び変形例についても、膝用サポーター２００の好ましい範囲及び変形例と同様である。
【００７９】
＜第６具体例＞
図１１は、第６具体例に係る膝用サポーターが膝に装着された状態を示す概略図である。
図１１に示されるように、第６具体例に係る膝用サポーター２０４では、第４具体例に係る膝用サポーター２００に対し、膝の裏側に相当する位置に多数の通気口２７０が設けられ、サポーター本体の上端部（装着時における太もも側）及び下端部（装着時におけるふくらはぎ側）が横方向（装着時における周方向）への伸縮性に優れた伸縮部２６０Ａ及び２６０Ｂに変更され、ニーホールを塞ぐネット部材２２２が追加されている。
【００８０】
膝用サポーター２０４では、通気口２７０により、膝用サポーター装着時の蒸れ等が抑制され、膝用サポーターの装着感がより向上する。
膝用サポーター２０４では、伸縮部２６０Ａ及び２６０Ｂにより、膝用サポーターの装着し易さ及び装着感（フィット感）がより向上する。
膝用サポーター２０４では、ネット部材２２２により、膝の保護性能が向上する。
【００８１】
膝用サポーター２０４において、上記以外の構成は、膝用サポーター２００の構成と同様である。従って、膝用サポーター２０４によれば、膝用サポーター２００と同様の効果が奏される。
膝用サポーター２０４の好ましい範囲及び変形例についても、膝用サポーター２００の好ましい範囲及び変形例と同様である。
【００８２】
＜第７具体例＞
図１２は、第７具体例に係る膝用サポーターを、膝との対向面側からみたときの概略平面図である。
図１２に示されるように、第７具体例に係る膝用サポーター３００では、第４具体例に係る膝用サポーター２００に対し、湿布剤保持用部材としてのループ型面ファスナー部材２０並びにフック型面ファスナー部材２２及び２３が、湿布剤保持用部材としてのメッシュ状部材３２０に変更されている。
【００８３】
メッシュ状部材３２０は、サポーター本体１０との間で湿布剤３０を保持するための部材である。
膝用サポーター３００の好ましい態様は、メッシュ状部材３２０の外周部の一部がサポーター本体１０に固定されることにより、メッシュ状部材３２０の外周部の残部（サポーター本体１０に固定されていない部分）を通じて湿布剤３０を出し入れするためのポケットが形成されている態様である。
【００８４】
また、膝用サポーター３００の別の好ましい態様は、メッシュ状部材３２０の外周部の少なくとも一部が、不図示の着脱可能な固定用部材（例えば一対の面ファスナー部材）によってサポーター本体１０に固定されている態様である。この態様では、固定用部材の着脱によってメッシュ状部材３２０をサポーター本体１０に対して着脱することにより、湿布剤３０の出し入れを行うことができる。
【００８５】
メッシュ状部材３２０は、メッシュ構造（網目構造）有する。
膝用サポーター３００の装着時には、メッシュ状部材３２０のメッシュ（網目）を通じ、湿布剤３０と膝とを対向（好ましくは接触）させることができる。
メッシュ状部材３２０のメッシュ幅Ｗ１の好ましい範囲、及び、メッシュ状部材３２０の厚みの好ましい範囲は、それぞれ前述したとおりである。
メッシュ状部材３２０の線径の好ましい範囲も、メッシュ状部材３２０の厚みの好ましい範囲と同様である。
【００８６】
メッシュ状部材３２０の材質としては、ポリエチレン、ポリプロピレン、ポリエステル、ナイロン、ポリウレタン等が挙げられる。中でも、耐久性の観点から、メッシュ状部材３２０の材質は、ポリエステルが好ましい。
【００８７】
なお、膝用サポーター３００はメッシュ状部材を一つのみ備え湿布剤を一つのみ（湿布剤３０）保持しているが、膝用サポーター３００は、メッシュ状部材の数を増やす等して、湿布剤を二つ以上保持できるように変更されてもよい。
【００８８】
膝用サポーター３００において、上記以外の構成は、膝用サポーター２００の構成と同様である。従って、膝用サポーター３００によれば、膝用サポーター２００と同様の効果が奏される。
膝用サポーター３００の好ましい範囲及び変形例についても、膝用サポーター２００の好ましい範囲及び変形例と同様である。
【００８９】
以上、本実施形態の各具体例及びその変形例について説明したが、本発明は、以下の具体例に限定されることはない。
また、個々の具体例に特有の要素は、具体例間で適宜組み合わせることもできる。
【符号の説明】
【００９０】
１０、１１  サポーター本体
２０、２１、５０、５１  ループ型面ファスナー部材
２０Ａ  基布
２０Ｂ  ループ素子部
２２、２３、１２２  フック型面ファスナー部材
２２Ａ  基布
２２Ｂ、２３Ｂ  フック素子部
３０  湿布剤
１００、１０２、１０４、２００、２０２、２０４、３００  膝用サポーター
２４０Ａ、２４０Ｂ  線ファスナー部材
２５０Ａ、２５０Ｂ  ベルト部材（締め付け力調整部材）
３２０  メッシュ状部材
【図１】
2016098449.tif 000005
【図２】
2016098449.tif 000006
【図３】
2016098449.tif 000007
【図４】
2016098449.tif 000008
【図５】
2016098449.tif 000009
【図６】
2016098449.tif 000010
【図７】
2016098449.tif 000011
【図８】
2016098449.tif 000012
【図９】
2016098449.tif 000013
【図１０】
2016098449.tif 000014
【図１１】
2016098449.tif 000015
【図１２】
2016098449.tif 000016